(57)【要約】      （修正有）【課題】真空断熱材が用いられた断熱パネルの強度をより高くする。【解決手段】断熱パネル１は、対向する２枚の面材２０，２３と、面材２０，２３の縁に沿って２枚の面材２０，２３の間に配置される枠材２２と、面材２０，２３と枠材によって形成される空間に配置される真空断熱体１０とを有するものである。そして、面材２０，２３の縁には、内側に折り曲げることによって枠材２２の外周面の一部と当接するフランジ部４０ｃ，４３ｃが形成されるものであって、フランジ部４０ｃ，４３ｃには重なるように折り返して形成される折り返し部５２を有している。【選択図】図４
2008095465.tif 000002
【特許請求の範囲】
【請求項１】
対向する２枚の面材と、前記面材の縁に沿って２枚の前記面材の間に配置される枠材と、前記面材と前記枠材によって形成される空間に配置される真空断熱体とを有するものであり、前記面材の縁は内側に折り曲げることによって前記枠材の外周面の一部と当接するフランジ部が形成されるものであって、前記フランジ部には重なるように折り返して形成される折り返し部を有することを特徴とする断熱パネル。
【請求項２】
フランジ部の折り返し部は、フランジ部の内側に向かって折り返されていることを特徴とする請求項１に記載の断熱パネル。
【請求項３】
前記面材と前記枠材によって形成される空間のうち前記真空断熱体以外の空間にウレタン樹脂発泡体が充填発泡され、前記真空断熱体の両面には接着剤が用いられ、前記真空断熱体の一方の面は一方の前記面材と接着され、他方の面は前記ウレタン樹脂発泡体と接着されていることを特徴とする請求項１に記載の断熱パネル。
【請求項４】
前記接着剤がゴム系であることを特徴とする請求項３に記載の断熱パネル。
【請求項５】
前記接着剤がウレタン系であることを特徴とする請求項３に記載の断熱パネル。
【請求項６】
前記接着剤がアクリル系であることを特徴とする請求項３に記載の断熱パネル。
【請求項７】
前記接着剤がシリコーン系であることを特徴とする請求項３に記載の断熱パネル。
【発明の詳細な説明】
【技術分野】
【０００１】
本発明は、真空断熱体を用いた断熱パネルに関する。
【背景技術】
【０００２】
従来から、冷却ユニットを備えた食品保管用のプレハブ倉庫や簡易倉庫などには、断熱性を有する建材が使用されている。また、冷凍食品の製造工場や卸業者（物流センター）などに設置される大型の冷凍倉庫の建材としても、断熱性を有するパネル材が用いられている。従来から、建築物の断熱材としては、グラスウールなどの断熱材を採用するのが一般的であり、現在においても多用されている。しかし、近時、グラスウールに比べて高い断熱性を有する断熱パネルが開発されている。
【０００３】
特許文献１には、このような食品保管庫や冷凍倉庫の壁材として採用される断熱パネルが開示されている。特許文献１に開示された断熱パネルは、所定間隔をおいて配した合板と、その周縁部に設けた枠材および仕切板とによりフレーム部を形成し、各フレーム部内に発泡性樹脂材料を注入して断熱層を一体的に形成した構造を有する。
【０００４】
しかし、特許文献１に開示された断熱パネルは、断熱材として硬質発泡ウレタンなどの発泡性樹脂材料を用いることから、断熱性に不満を残すものであった。そこで、近時、断熱性の向上を図った真空断熱体を採用した断熱パネルが開発され実用されている。特許文献２には、このような真空断熱体を採用した断熱パネルが開示されている。
【０００５】
特許文献２に開示された断熱パネルは、コアー材をガスバリア性の外被材で覆い、外被材の内部を減圧して真空封入した真空断熱体を使用したものである。そして、２面の面材同士の間に枠材を配して方形のパネルを形成し、面材同士の間に真空断熱体を配すると共に発泡樹脂を注入して充填硬化させた構造を有するものである。
【０００６】
特許文献２に開示された断熱パネルは、真空断熱体を採用することにより断熱性が高く、この断熱パネルを食品保管庫や冷凍倉庫の建材として採用することにより、保冷性能の向上に伴って冷却に要するエネルギーを削減することが可能である。また、同一の保冷性能を確保するための断熱パネルの厚さを削減することができ、省スペース化を図ることも可能である。
【特許文献１】特開平１０−１６９０３２号公報
【特許文献２】特開平１１−０２２０５０号公報
【発明の開示】
【発明が解決しようとする課題】
【０００７】
ところで、このような断熱パネルは、使用時などに曲げなどの力がかかることがある。このような場合であっても、断熱パネルに変形や破損等が発生しないように強度を確保する必要があるが、通常は、面材を厚くするなどして、断熱パネルを高強度となるようにしていた。しかし、面材を厚くすると、断熱パネルを用いた構造物が、大きくなってしまい、また、断熱パネルが重くなってしまう。
【０００８】
そこで、本発明は、重量や大きさをほとんど変えることなく、より高強度とすることが可能である断熱パネルを提供することを目的とする。
【課題を解決するための手段】
【０００９】
上記目的を達成するために、本発明の断熱パネルは、対向する２枚の面材と、前記面材の縁に沿って２枚の前記面材の間に配置される枠材と、前記面材と前記枠材によって形成される空間に配置される真空断熱体とを有するものであり、前記面材の縁は内側に折り曲げることによって前記枠材の外周面の一部と当接するフランジ部が形成されるものであって、前記フランジ部には重なるように折り返して形成される折り返し部を有することを特徴とするものである。
【００１０】
これによって、面材の縁のフランジ部に形成された折り返し部は、重なるように折り返して２重になって縁の部分が補強されており、面材の縁のフランジ部に、重なるように折り返して折り返し部を形成するだけで、重量や大きさをほとんど変えることなく、断熱パネルをより高強度とすることができる。
【発明の効果】
【００１１】
本発明の断熱パネルによれば、面材の縁のフランジ部に、重なるように折り返して折り返し部を形成するだけで、重量や大きさをほとんど変えることなく、断熱パネルをより高強度とすることができる。そのため、湾曲が起こるような力が加わった場合などにも、断熱パネルの変形をしにくくすることができる。
【発明を実施するための最良の形態】
【００１２】
請求項１に記載の断熱パネルの発明は、対向する２枚の面材と、前記面材の縁に沿って２枚の前記面材の間に配置される枠材と、前記面材と前記枠材によって形成される空間に配置される真空断熱体とを有するものであり、前記面材の縁は内側に折り曲げることによって前記枠材の外周面の一部と当接するフランジ部が形成されるものであって、前記フランジ部には重なるように折り返して形成される折り返し部を有することを特徴とするものであり、面材の縁のフランジ部に形成された折り返し部は、重なるように折り返して２重になって縁の部分が補強されており、面材の縁のフランジ部に、重なるように折り返して折り返し部を形成するだけで、重量や大きさをほとんど変えることなく、断熱パネルをより高強度とすることができる。そのため、湾曲が起こるような力が加わった場合などにも、断熱パネルの変形をしにくくすることができる。
【００１３】
請求項２に記載の断熱パネルの発明は、請求項１に記載の発明におけるフランジ部の折り返し部が、フランジ部の内側に向かって折り返されているものであり、フランジ部の折り返し片が露出しないようにすることができる。フランジ部の折り返し片が浮き上がるのを防止でき、折り返し片の先端で傷を付けるのを防止できる。
【００１４】
請求項３に記載の断熱パネルの発明は、請求項１に記載の発明に加えて、前記面材と前記枠材によって形成される空間のうち前記真空断熱体以外の空間にウレタン樹脂発泡体が充填発泡され、前記真空断熱体の両面には接着剤が用いられ、前記真空断熱体の一方の面は一方の前記面材と接着され、他方の面は前記ウレタン樹脂発泡体と接着されていることを特徴とするものであり、真空断熱体の両面には接着剤が用いられ、真空断熱体の一方の面は一方の面材と接着され、他方の面はウレタン樹脂発泡体と接着されていることにより、２枚の面材同士の相対移動を小さくすることができ、高強度とすることができる。
【００１５】
請求項４に記載の断熱パネルの発明は、請求項３に記載の発明における前記接着剤がゴム系であることを特徴とするものであり、ゴム系接着剤は緩衝性が良好なため、面材表面に細かな凹凸があっても、面材と真空断熱体を確実に接着することができる。
【００１６】
請求項５に記載の断熱パネルの発明は、請求項３に記載の発明における前記接着剤がウレタン系であることを特徴とするものであり、ウレタン系接着剤は再剥離性が良好なため真空断熱体を面材に貼り付けたとき、正規の位置に貼り付けることができず、真空断熱体を面材から剥離させる場合でも、比較的容易に真空断熱体を面材から剥離することができ、真空断熱体を傷つけることによる断熱性能の低下を抑制することができる。
【００１７】
請求項６に記載の断熱パネルの発明は、請求項３に記載の発明における前記接着剤がアクリル系であることを特徴とするものであり、アクリル系接着剤は耐熱性に優れた特長を有していることから、断熱パネルが高温雰囲気下で使用された場合でも、接着力の低下を抑制することができ、長期の信頼性を維持することができる。
【００１８】
請求項７に記載の断熱パネルの発明は、請求項３に記載の発明における前記接着剤がシリコーン系であることを特徴とするものであり、シリコーン系接着剤は低温での接着性に優れた特長を有していることから、低温雰囲気下での断熱パネル製造時においても、接着力の低下を抑制することができる。
【００１９】
以下、本発明の断熱パネルの実施の形態について、図面を参照しながら説明するが、先に説明した実施の形態と同一構成については同一符号を付して、その詳細な説明は省略する。なお、この実施の形態によってこの発明が限定されるものでない。
【００２０】
（実施の形態１）
図１の（ａ）は本発明の実施の形態１に係る断熱パネルに採用する真空断熱体を示す斜視図、（ｂ）は（ａ）のＡ−Ａ矢視断面斜視図、（ｃ）は（ａ）の真空断熱体の縁部を折曲した状態を示す斜視図である。図２の（ａ）、（ｂ）は本発明の実施の形態１に係る断熱パネルの組み立て手順を示す斜視図である。図３の（ａ）、（ｂ）は図２に続いて行う断熱パネルの組み立て手順を示す斜視図である。図４の（ａ）は図３（ｂ）のＢ−Ｂ矢視断面図、図４の（ｂ）は図３（ｂ）のＣ−Ｃ矢視断面図である。図５の（ａ）は図２（ｂ）のＡ部を拡大した斜視図であり、図５の（ｂ）は図３（ａ）のＡ部を拡大した斜視図である。図６は、本発明の実施の形態１の断熱パネルに使用される面材の折り曲げ部付近を示した説明図である。図７から図９は、変形例の面材の折り曲げ部付近を示した説明図である。
【００２１】
本発明の実施の形態１における断熱パネル１は、図２から図４に示されるように、真空断熱体１０、面材２０，２３、枠材２１，２２、樹脂発泡体２５を有するものである。そして、枠材２１，２２は、長方形状の対向する２枚の面材２０，２３の縁に沿って２枚の面材２０，２３の間に配置され、面材２０，２３と枠材２１，２２によって空間が形成されている。また、この面材２０，２３と枠材２１，２２によって形成された空間に、真空断熱体１０と樹脂発泡体２５とを配置している。
【００２２】
面材２０，２３は長方形の板状の部材であり、金属板を切断して変形させることにより形成されるものである。そして、一方の面材２０には平面部２０ａと、一対の長辺２０ｃ及び長辺より短い一対の短辺２０ｂが設けられている。短辺２０ｂや長辺２０ｃは、平面部２０ａの縁に位置するものであり、それぞれ内側に折り曲げることによって枠材２１，２２の外周面の一部と当接するフランジ部４０ｂ，４０ｃが設けられている。
【００２３】
また、他方の面材２３にも、平面部２３ａと、一対の長辺２３ｃ及び長辺より短い一対の短辺２３ｂが設けられ、短辺２３ｂや長辺２３ｃは、平面部２３ａの縁に位置するものであり、それぞれ内側に折り曲げることによって枠材２１，２２の外周面の一部と当接するフランジ部４３ｂ，４３ｃが設けられている。
【００２４】
一方の面材２０のフランジ部４０ｂ，４０ｃは、平面部２０ａに対して同じ方向に突出するように、折り曲げ部５０で折り曲げて形成される。そして、折り曲げ部５０での折り曲げの角度は、約９０°である。
【００２５】
また、他方の面材２３についても、フランジ部４３ｂ，４３ｃが、平面部２３ａに対して同じ方向に突出するように、折り曲げ部５３で折り曲げて形成される。そして、真空断熱材１では、面材２０，２３を、フランジ部４０ｂ，４０ｃとフランジ部４３ｂ，４３ｃとが向き合うように配置されるものであり、面材２０，２３同士の間であってフランジ部４０ｂ，４３ｂ，４０ｃ，４３ｃが形成された側（内側）に、真空断熱体１０と樹脂発泡体２５とが配置される空間が形成される。
【００２６】
なお、本実施の形態の面材２０，２３では、図２から図４に示されるように、フランジ部４０ｂ，４３ｂは短辺２０ｂ，２３ｂの全長に設けられており、また、フランジ部４０ｃ，４３ｃは長辺２０ｃ，２３ｃの全長に設けられておらず、端部付近が欠落するように形成されているが、欠落の有無や位置は特に限定されるものでない。
【００２７】
また、図５（ａ）、（ｂ）、図６に示されるように、フランジ部４０ｂ，４０ｃには、折り返されて形成される折り返し部５２が設けられている。この折り返し部５２は、折り返し端５２ａで折り返されて、折り返し片５２ｂが形成されるものであり、板が重なって二重になっている部分である。なお、図６では、一方の面材２０のフランジ部４０ｃを示したものであるが、他のフランジ部４０ｂ，４３ｂ，４３ｃについても同様に、折り返し端５２ａで折り返された折り返し部５２を有している。そして、本実施の形態では、フランジ部４０ｂ，４３ｂ，４０ｃ，４３ｃの全域（幅方向及び長さ方向）が重なって折り返し部５２が形成されており、フランジ部４０ｂ，４３ｂ，４０ｃ，４３ｃ全体が二重になっている。
【００２８】
また、図５（ａ）、（ｂ）、図６に示されるように、フランジ部４０ｂ，４０ｃには、折り返されて形成される折り返し部５２が設けられている。この折り返し部５２は、折り返し端５２ａで折り返されて、折り返し片５２ｂが形成されるものであり、板が重なって二重になっている部分である。なお、図６では、一方の面材２０のフランジ部４０ｃを示したものであるが、他のフランジ部４０ｂ，４３ｂ，４３ｃについても同様に、折り返し端５２ａで折り返された折り返し部５２を有している。そして、本実施の形態では、フランジ部４０ｂ，４３ｂ，４０ｃ，４３ｃの全域（幅方向及び長さ方向）が重なって折り返し部５２が形成されており、フランジ部４０ｂ，４３ｂ，４０ｃ，４３ｃ全体が二重になっている。
【００２９】
本実施の形態の折り返し部５２の折り返す方向は、フランジ部４０ｂの内側（平面部２０ａ側）に折り返され、折り返し片５２ｂが内側に位置しているが、図７に示すように、フランジ部４０ｂの外側に向かって折り返して、折り返し片５２ｂが外側に配置されるようにしてもよい。
【００３０】
また、図８に示すように、折り返し片５２ｂの長さを短くして、折り曲げ部５０に至らないものであっても良く、また、図９に示すように、折り返し片５２ｂの長さを長くして、折り曲げ部５０を超えて平面部２０ａの内側まで至るようなものであっても良い。
【００３１】
次に、真空断熱体１０について説明する。真空断熱体１０の構造は、図１（ａ）、（ｂ）に示されるように、芯材１３をガスバリア性の外被材１１，１２で覆い、外被材１１，１２で覆われた内部を減圧して真空としたものである。
【００３２】
芯材１３に使用する材料は、気相比率９０％前後の多孔体をシート状または板状に加工したものであり、工業的に利用できるものとして、発泡体、粉体、および繊維体等がある。
【００３３】
このうち、発泡体としては、ウレタンフォーム、スチレンフォーム、フェノールフォーム等の連続気泡体が利用できる。また、粉体としては、無機系、有機系、および、これらの混合物を利用できるが、工業的には、乾燥シリカ、湿式シリカ、パーライト等を主成分とするものが使用できる。
【００３４】
また、繊維体としては、無機系、有機系、および、これらの混合物を利用できるが、コストと断熱性能の観点から無機繊維が有利である。無機繊維の一例としては、グラスウール、グラスファイバー、アルミナ繊維、シリカアルミナ繊維、シリカ繊維、ロックウール等、公知の材料を使用することができる。また、これらの発泡体、粉体、及び繊維体等の混合物を適用することができる。
【００３５】
外被材１１，１２は、最内層を熱溶着層とし、中間層にはガスバリア層として、金属箔、或いは金属蒸着層を有し、最外層には表面保護層を設けたラミネートフィルムが適用できる。また、外被材１１，１２は、金属箔を有するラミネートフィルムと金属蒸着層を有するラミネートフィルムの２種類のラミネートフィルムを組み合わせて適用しても良い。
【００３６】
なお、熱溶着層としては、低密度ポリエチレンフィルム、鎖状低密度ポリエチレンフィルム、高密度ポリエチレンフィルム、ポリプロピレンフィルム、ポリアクリロニトリルフィルム、無延伸ポリエチレンテレフタレートフィルム、エチレン−ビニルアルコール共重合体フィルム、或いは、それらの混合体等を用いることができる。表面保護層としては、ナイロンフィルム、ポリエチレンテレフタレートフィルム、ポリプロピレンフィルムの延伸加工品など、公知の材料が利用できる。
【００３７】
芯材１３は、真空断熱体１０の内部を真空にした場合に、内部の空間を維持するためのものであり、本実施の形態においては繊維材が用いられている。そして、芯材１３は、繊維材を所定の温度、圧力で加熱圧縮成形し、繊維材が圧縮方向（繊維材の厚さ方向）と交差する方向へ配向されている。これにより、繊維材を介して配向方向に沿って伝導する熱量に比べて、繊維材の配向方向と交差する方向（繊維材の厚さ方向）に沿って伝導される熱量は著しく低減し、繊維材を配向しない場合に比べて、芯材１３の厚さ方向への熱伝導率が著しく低減される。
【００３８】
芯材１３に用いる繊維材としては、グラスウールやグラスファイバーなどの無機繊維が好ましい。また、成形時に固化のためにバインダーを使用する場合には、有機材料よりは、無機材料を用いることが好ましい。バインダーに無機材料を用いることにより、経時変化に伴うバインダーからのガスの発生を抑制し、真空断熱体１０の断熱性能の経時劣化を防止している。
【００３９】
また、本実施の形態の真空断熱体１０は、芯材１３の繊維材を配向させた構成として断熱性の向上を図っているが、繊維材を配向しない構成とすることにより、断熱性を維持しつつ製造性の向上および省コスト化を図った真空断熱体とすることも可能である。
【００４０】
真空断熱体１０の製作は、図１（ａ）に示されるように、外被材１１，１２を重ね合わせて三方の縁部１０ｄ，１０ｅ，１０ｆを加熱溶着して袋状とし、残りの縁部１０ｃに形成される開口部分を介して前記手順で製した芯材１３を袋内に挿入し、さらに、縁部１０ｃの開口部分から袋内を減圧してほぼ真空状態とし、縁部１０ｃを加熱溶着して封止して行われる。このようにして製作された真空断熱体１０は、ガスバリア性を有する外被材１１，１２の内部にスペーサとして機能する芯材１３が真空封入された構造を有する。
【００４１】
真空断熱体１０は、断熱パネル１の製造に先立って、予め、縁部１０ｃ，１０ｄ，１０ｅ，１０ｆの折曲を行い、縁部１０ｃ〜１０ｆを上面１０ａに重ね合わせる。そして、断熱にほとんど寄与しない縁部１０ｃ〜１０ｆが真空断熱体１０の周囲から突出することがなく、断熱パネル１に装着する際の断熱に寄与する真空断熱体１０の占有面積（被覆率）の向上を図ることができる。
【００４２】
次に、図１（ｃ）の様に予備加工された真空断熱体１０と枠材２１，２２とを一方の面材２０に固定する工程を行う。
【００４３】
真空断熱体１０を面材２０に固定する際は、接着剤１５を用いて行われる。本実施の形態の接着剤１５は、真空断熱体１０及び面材２０に対して接着性を有するゴム系接着剤であり、熱で溶融させたものをロールコーター等の接着剤塗布装置（図示せず）を用い、図２（ａ）の様に、面材２０の平面部２０ａに接着剤１５を配置して、真空断熱体１０を下面（一方の面）１０ｂ側で固定する。真空断熱体１０をこのようにして固定すると、ラミネートフィルムで形成された外被材１２側が接着剤１５によって一方の面材２０に固定される。この接着剤１５は、ウレタン系のものや、アクリル系のものや、シリコーン系の接着剤や、接着成分を溶媒などで分散させた流動状のものや、ホットメルト系のものや、両面テープなどの基材に接着層を設けたものを用いても良い。
【００４４】
また、図２（ｂ）に示すように、真空断熱体１０の上面（他方の面）１０ａ側にも接着剤１５ａを配置する。この接着剤１５ａの配置方法は、面材２０との接着に用いる接着剤１５と同じでもよく、別の方法を用いても良い。さらに、この接着剤１５ａは、面材２０との接着に用いる接着剤１５と同じものを用いてもよく、別のものを用いても良い。なお具体的な接着剤１５ａの具体的な種類は、上記した接着剤１５で説明したものと同じものを用いることができる。
【００４５】
続いて、図２（ｂ）の様に、面材２０に枠材２１，２１および枠材２２，２２を仮固定する。枠材２１は、合成樹脂材を成形加工して製造された長尺材であり、面材２０の短辺２０ｂの長さと略等しい長さを有している。枠材２１，２１および枠材２２，２２を配置する位置は、フランジ部４０ｂ，４０ｃの内側である。
【００４６】
枠材２１の一面には、全長に渡って外方へ突出する凸条部２１ａが形成されると共に、反対面には全長に渡って内方へ退入する凹条部２１ｂが形成されている。これらの凸条部２１ａと凹条部２１ｂは嵌合可能な形状であり、一つの枠材２１の凸条部２１ａと別の枠材２１の凹条部２１ｂとを嵌合させて係合可能な形状とされている。
【００４７】
枠材２２は、枠材２１と同様に、凸条部２２ａおよび凹条部２２ｂを有した合成樹脂で製造された長尺材であるが、枠材２１よりも長く、面材２０の長辺２０ｃとほぼ等しい長さのものである。また、一方の枠材２２は、長手方向の略中央部に、凹条部２２ｂから凸条部２２ａにかけて貫通する注入孔２２ｃを備えている。
【００４８】
さらに、図３（ａ）の様に、枠材２１，２２に面材２３の仮固定を行う。具体的には、図３（ａ）の様に、面材２３の短辺２３ｂや長辺２３ｃの折り曲げ部分であるフランジ部４３ｂ，４３ｃの各々の内面に両面テープ１６を貼付する。そして、面材２３を面材２０に貼付した真空断熱体１０を覆うようにして枠材２１，２２に被せ、短辺２３ｂや長辺２３ｃのフランジ部４３ｂ，４３ｃに当接させて仮固定する。
【００４９】
また、図３（ｂ）の様に、枠材２１，２２の当接部位に生じる４カ所の隙間２７に各々、ウレタンフォームなどの詰め物（図示せず）を押し込んで封鎖する。尚、詰め物の装着は、図３（ａ）の面材２３を仮固定する前に行っても良い。
【００５０】
以上の工程により、図３（ｂ）の様に、断熱パネル１の内部に樹脂発泡体を注入する準備が完了する。
【００５１】
なお、他方の面材２３の内側や、真空断熱体１０の表面に接着剤を塗布し、樹脂発泡体２５との接着をより確実に行うこともできる。なお、樹脂発泡体２５には、自己接着性を有しているので、このような接着剤を用いなくても他方の面材２３や、真空断熱体１０との接着は可能である。
【００５２】
次に、図３（ｂ）の様に組み立てられた断熱パネル１の枠材２２に設けた注入孔２２ｃに注入ノズル２４を挿入して、真空断熱体１０の周りの面材２０，２３と枠材２１，２２で囲まれる空間に樹脂を注入して樹脂発泡体２５を形成する。
【００５３】
本実施の形態で用いられる樹脂発泡体２５は、発泡剤が添加された硬質ウレタン樹脂が用いられている。また、この発泡剤としてはシクロペンタンや水などの公知の発泡剤が用いられている。尚、この樹脂には、硬質ウレタン樹脂の他にも、フェノールフォームなどの難燃性素材やスチルフォームなどを用いることができる。
【００５４】
また、樹脂の硬化時間は任意であり、製造時間の許容される範囲で発泡硬化時間の長いものを用いることにより、断熱パネル１内に注入した樹脂発泡体を内部の隅々までスムーズに充填させることができる。
【００５５】
注入ノズル２４を枠材２２に設けた注入孔２２ｃに挿入して、上記した樹脂を注入する時には、図３（ｂ）の様に、断熱パネル１をプレス装置（図示せず）に載置し、面材２０，２３を近接するように軽く押圧する。これにより、硬質ウレタン樹脂の発泡圧によって面材２０，２３が外方へ湾曲することが防止される。また、面材２０，２３の縁では、枠材２１，２２が、面材２０，２３のフランジ部４０ｂ，４０ｃ，４３ｂ，４３ｃによって外方への移動が防止される。
【００５６】
注入ノズル２４からウレタン樹脂を噴射して断熱パネル１の内部に充填し、充填が完了すると、注入ノズル２４を抜き取り、注入孔２２ｃをテープなどで仮止めして硬質ウレタン樹脂を発泡硬化させる。そして、発泡硬化が完了すると、プレスを解除して断熱パネル１の製造が完了する。
【００５７】
本実施の形態の断熱パネル１は、図４（ａ）、（ｂ）の様に、面材２０と面材２３の間に真空断熱体１０が配され、真空断熱体１０の周りの空間に樹脂発泡体２５が充填されている。そして、本実施の形態の断熱パネル１は、鋼板で成る面材２０，２３の間に極めて高い断熱性を有する真空断熱体１０を配すると共に、その隙間に断熱性を有する樹脂発泡体２５を充填した構造であり、断熱性能および強度、剛性を兼ね備えた優れた断熱パネル１とすることができる。特に、本実施の形態の断熱パネル１では、面材２０，２３のフランジ部４０ｂ，４３ｂ，４０ｃ，４３ｃには折り返し部５２が形成されているので、特に、高強度とすることができる。
【００５８】
そして、断熱パネル１の枠材２１，２２に凸条部２１ａ，２２ａおよび凹条部２１ｂ，２２ｂを設けているので、上下左右に隣接する断熱パネル１，１同士の凸条部２１ａ，２２ａと凹条部２１ｂ，２２ｂとを嵌合させて断熱パネル１を容易に平面状に敷設することができ、作業性の向上を図ることができる。
【００５９】
尚、本実施の形態の断熱パネル１では、２枚の外被材１１，１２を用いた真空断熱体１０を使用するものであったが、１枚の外被材を用いて略全面を被覆した真空断熱体を用いてもよい。
【産業上の利用可能性】
【００６０】
以上のように本発明にかかる断熱パネルは、変形しにくく高強度であるので、食品保管庫や冷凍倉庫の建材など、パネル厚を厚くすることなく、耐熱性と強度を高めた断熱パネルが求められる分野に適用できる。
【図面の簡単な説明】
【００６１】
【図１】（ａ）本発明の実施の形態１に係る断熱パネルに採用する真空断熱体を示す斜視図（ｂ）図１（ａ）のＡ−Ａ矢視断面斜視図（ｃ）図１（ａ）の真空断熱体の縁部を折曲した状態を示す斜視図
【図２】（ａ）本発明の実施の形態１に係る断熱パネルの組み立て手順を示す斜視図（ｂ）本発明の実施の形態１に係る断熱パネルの組み立て手順を示す斜視図
【図３】（ａ）図２に続いて行う断熱パネルの組み立て手順を示す斜視図（ｂ）図２に続いて行う断熱パネルの組み立て手順を示す斜視図
【図４】（ａ）図３（ｂ）のＢ−Ｂ矢視断面図（ｂ）図３（ｂ）のＣ−Ｃ矢視断面図
【図５】（ａ）図２（ｂ）のＡ部を拡大した斜視図（ｂ）図３（ａ）のＡ部を拡大した斜視図
【図６】本発明の実施の形態１の断熱パネルに使用される面材の折り曲げ部付近を示した説明図
【図７】変形例の面材の折り曲げ部付近を示した説明図
【図８】変形例の面材の折り曲げ部付近を示した説明図
【図９】変形例の面材の折り曲げ部付近を示した説明図
【符号の説明】
【００６２】
１    断熱パネル
１０  真空断熱体
１０ａ  上面（他方の面）
１０ｂ  下面（一方の面）
１５，１５ａ  接着剤
２０，２３  面材
２１，２２  枠材
４０ｂ，４０ｃ，４３ｂ，４３ｃ  フランジ部
５２  折り返し部
【図１】
2008095465.tif 000003
【図２】
2008095465.tif 000004
【図３】
2008095465.tif 000005
【図４】
2008095465.tif 000006
【図５】
2008095465.tif 000007
【図６】
2008095465.tif 000008
【図７】
2008095465.tif 000009
【図８】
2008095465.tif 000010
【図９】
2008095465.tif 000011